(57)【要約】【課題】揚重機を支持部材に容易に取り付けることができ、また揚重のためのコストを低減することができる揚重機取付装置、揚重装置及びエレベータの揚重機取付方法を得ることを目的とする。【解決手段】かご側揚重ビーム４には、取付用竿により装着ベース９が装着される。装着ベース９は、懸吊ロープ１１が巻き掛けられた装着ベース返しプーリ１７と掛け止め部１９とを有している。電動チェーンブロック１０の上部には、懸吊ロープ１１が巻き掛けられた一対の揚重機返しプーリ２２ａ，２２ｂが搭載されている。電動チェーンブロック１０は、懸吊ロープ１１の一端部１１ａ側により装着ベース９に対して吊り下げられ、懸吊ロープ１１の他端部１１ｂ側の引き下げにより引き上げられる。電動チェーンブロック１０の上昇により、掛止用フック１８が掛け止め部１９に掛止される。【選択図】        図３
2004256253.tif 000002
【特許請求の範囲】
【請求項１】
機材を揚重する揚重機を支持部材に取り付ける揚重機取付装置であって、
上記揚重機の掛止用フックを掛止可能な掛け止め部と、装着ベース側ロープ返し部とを有し、上記支持部材に着脱可能な装着ベース、及び
上記装着ベース側ロープ返し部に掛けられ、一端部側で上記揚重機を上記装着ベースに対して吊り下げ、上記装着ベース側ロープ返し部により下方へ向けられた他端部側の引き下げにより上記揚重機を引き上げ可能な懸吊ロープ
を備え、
上記他端部側の引き下げによる上記揚重機の上昇により、上記掛止用フックを上記掛け止め部に掛止させるようになっていることを特徴とする揚重機取付装置。
【請求項２】
上記揚重機に搭載され、かつ、上記懸吊ロープが掛けられた揚重機側ロープ返し部をさらに備え、
上記懸吊ロープの一端部は、上記装着ベースに接続されており、
上記懸吊ロープは、上記一端部から、上記揚重機側ロープ返し部、上記装着ベース側ロープ返し部の順に掛けられ、上記他端部側に至っていることを特徴とする請求項１に記載の揚重機取付装置。
【請求項３】
上記装着ベースは、上記一端部が接続された接続固定部を含む第１係止部と、上記懸吊ロープが掛けられた係止部側ロープ返し部を含み、上記接続固定部に対して上記係止部側ロープ返し部が接離する方向へ往復変位可能な第２係止部とをさらに有し、
上記懸吊ロープは、上記一端部から、上記係止部側ロープ返し部、上記揚重機側ロープ返し部の順に掛けられており、
上記装着ベースは、上記係止部側ロープ返し部が上記接続固定部に近づく向きへ上記懸吊ロープの引っ張り力により上記第２係止部が変位されて上記第１係止部及び上記第２係止部が上記支持部材に係止されることにより、上記支持部材に装着されるようになっていることを特徴とする請求項２に記載の揚重機取付装置。
【請求項４】
上記装着ベース側ロープ返し部及び上記揚重機側ロープ返し部のうちの少なくともいずれか一方は、プーリであることを特徴とする請求項２又は請求項３に記載の揚重機取付装置。
【請求項５】
上記装着ベースを持ち上げて上記支持部材に上記装着ベースを装着するための棒状体をさらに備えていることを特徴とする請求項１乃至請求項４の何れかに記載の揚重機取付装置。
【請求項６】
上記棒状体は、上記装着ベースを吸着保持する磁石を有していることを特徴とする請求項５に記載の揚重機取付装置。
【請求項７】
機材を揚重する揚重機、
上記揚重機の掛止用フックを掛止可能な掛け止め部と装着ベース側ロープ返し部とを有し、支持部材に着脱可能な装着ベース、
上記装着ベース側ロープ返し部に掛けられ、一端部側で上記揚重機を上記装着ベースに対して吊り下げ、上記装着ベース側ロープ返し部により下方へ向けられた他端部側の引き下げにより上記揚重機を引き上げ可能な懸吊ロープ、及び
上記揚重機に搭載され、かつ、上記懸吊ロープが掛けられた揚重機側ロープ返し部
を備え、
上記懸吊ロープの一端部は、上記装着ベースに接続され、
上記懸吊ロープは、上記一端部から、上記揚重機側ロープ返し部、上記装着ベース側ロープ返し部の順に掛けられ、上記他端部側に至っており、
上記他端部側の引き下げによる上記揚重機の上昇により、上記掛止用フックを上記掛け止め部に掛止させるようになっていることを特徴とする揚重装置。
【請求項８】
エレベータ機材を揚重する揚重機を昇降路の上部に取り付けるエレベータの揚重機取付方法であって、
懸吊ロープの他端部側の引き下げにより上記懸吊ロープの一端部側で装着ベースに対して吊り下げられた上記揚重機が引き上げられるように、上記懸吊ロープを上記装着ベースの装着ベース側ロープ返し部に掛け、上記懸吊ロープを上記装着ベース側及び上記揚重機側にセッティングする準備工程、
上記他端部側を引き下げ可能としたまま、棒状体で上記装着ベースを持ち上げて上記昇降路の上部に設けられた支持部材に上記装着ベースを装着する装着工程、
上記他端部側を引き下げることにより、上記一端部側で上記揚重機を吊り下げ、さらに上記装着ベースに対して上記揚重機を引き上げる上昇工程、及び
上記装着ベースに上記揚重機を掛止させる掛止工程
を備えていることを特徴とするエレベータの揚重機取付方法。
【請求項９】
上記棒状体は磁石を有しており、
上記装着工程では、上記磁石に上記装着ベースを吸着保持させて持ち上げるようにすることを特徴とする請求項８に記載のエレベータの揚重機取付方法。
【請求項１０】
上記装着ベースは、上記懸吊ロープの引っ張り力により互いに近づく向きへ変位される第１係止部及び第２係止部を有しており、
上記装着工程は、上記棒状体により上記第１係止部を上記支持部材に係止させる第１係止工程と、上記懸吊ロープを引き寄せ上記第２係止部を上記第１係止部に近づく向きへ変位させて上記第２係止部を上記支持部材に係止させる第２係止工程とを有していることを特徴とする請求項８又は請求項９に記載のエレベータの揚重機取付方法。
【発明の詳細な説明】
【０００１】
【発明の属する技術分野】
この発明は、例えばエレベータ機材等を揚重する揚重機を支持部材に取り付ける揚重機取付装置、揚重装置及びエレベータの揚重機取付方法に関するものである。
【０００２】
【従来の技術】
従来、エレベータ機材を揚重するためのチェーンブロック等の揚重機は、昇降路の上部の機械室内に組み立てられた支持構造物に取り付けられる。（例えば、特許文献１参照）。
【０００３】
【特許文献１】
特開平７−１５７２３３号公報
【０００４】
【発明が解決しようとする課題】
しかしながら、エレベータ機材の揚重作業の前に、支持構造物を機械室内で組み立てなければならない。また、支持構造物の組み立てや揚重機の支持構造物への取り付けの際には、脚立等の足場に乗って作業を行わなければならない。このように、揚重作業の前準備に大変な手間がかかる。
また、支持構造物は、エレベータ機材の揚重に耐える強度が必要となるので大形となり、支持構造物の部品コストもかかる。
【０００５】
そこでこの発明は、上記のような問題点を解決することを課題とするもので、揚重機を支持部材に容易に取り付けることができ、また揚重のためのコストを低減することができる揚重機取付装置、揚重装置及びエレベータの揚重機取付方法を得ることを目的とする。
【０００６】
【課題を解決するための手段】
この発明に係る揚重機取付装置は、機材を揚重する揚重機を支持部材に取り付ける揚重機取付装置であって、揚重機の掛止用フックを掛止可能な掛け止め部と、装着ベース側ロープ返し部とを有し、支持部材に着脱可能な装着ベース、及び装着ベース側ロープ返し部に掛けられ、一端部側で揚重機を装着ベースに対して吊り下げ、装着ベース側ロープ返し部により下方へ向けられた他端部側の引き下げにより揚重機を引き上げうる懸吊ロープを備え、他端部側の引き下げによる揚重機の上昇により、掛止用フックを掛け止め部に掛止させるようになっている。
【０００７】
【発明の実施の形態】
以下、この発明の実施の形態を図面を参照しながら説明する。
実施の形態１．
図１はこの発明の実施の形態１によるエレベータの昇降路を示す縦断面図であり、図２は図１のＩＩ−ＩＩ線に沿った断面図である。図において、昇降路１の乗場２側の側壁には、乗場出入口３が各階に設けられている。昇降路１内の上部には、支持部材であるＨ形鋼のかご側揚重ビーム４及びおもり側揚重ビーム５がそれぞれ架設されている。かご側揚重ビーム４及びおもり側揚重ビーム５は、昇降路１の側壁にアンカーボルト６で固定された一対のかご側受金７及び一対のおもり側受金８によってそれぞれ両端部を支持固定されている。
【０００８】
図３は、図１のかご側揚重ビーム４に揚重機が取り付けられるときの状態を示す縦断面図である。図において、かご側揚重ビーム４には、かご側揚重ビーム４に着脱可能な装着ベース９が装着される。エレベータ機材を揚重する揚重機である電動チェーンブロック１０は、懸吊ロープ１１によって装着ベース９に吊り下げられている。
【０００９】
かご側揚重ビーム４は、ビーム本体１２と、ビーム本体１２の下部から水平方向へ互いに逆方向へ延出された第１延出部１３及び第２延出部１４とを有している。
【００１０】
装着ベース９は、第１延出部１３に係止される鉄製の第１係止部１５と、第１係止部１５に対して往復変位可能で、第２延出部１４に係止される鉄製の第２係止部１６と、第１係止部１５に設けられ、懸吊ロープ１１が巻き掛けられている装着ベース側ロープ返し部である装着ベース返しプーリ１７と、第１係止部１５及び第２係止部１６の下部に設けられ、電動チェーンブロック１０の掛止用フック１８を掛止可能な掛け止め部１９とを有している。
【００１１】
第１係止部１５は、懸吊ロープ１１の一端部１１ａが接続された接続固定部である固定リング２０を有している。第２係止部１６は、懸吊ロープ１１を摺動可能に受ける係止部側ロープ返し部である返しリング２１を有している。また、第２係止部１６は、返しリング２１が固定リング２０に対して接離する方向へ往復変位可能になっている。第２係止部１６の第１係止部１５に対する往復変位により、第１係止部１５及び第２係止部１６は、かご側揚重ビーム４に対して係止・離脱可能になっている。
【００１２】
即ち、第２係止部１６は、固定リング２０及び返しリング２１が互いに近づいて装着ベース９がかご側揚重ビーム４に係止される係止位置と、固定リング２０及び返しリング２１が互いに離れて装着ベース９がかご側揚重ビーム４から外される離脱位置との間を往復変位される。
【００１３】
電動チェーンブロック１０の上部には、懸吊ロープ１１が巻き掛けられた一対の揚重機側ロープ返し部である揚重機返しプーリ２２ａ，２２ｂが搭載されている。各揚重機返しプーリ２２ａ，２２ｂは、掛止用フック１８の両側に配置されている。揚重機返しプーリ２２ａ，２２ｂは、取付台２３を介して電動チェーンブロック１０に固定されている。
【００１４】
懸吊ロープ１１は、一端部１１ａから、返しリング２１、揚重機返しプーリ２２ａ，２２ｂ及び装着ベース返しプーリ１７の順に掛けられ、他端部１１ｂ側に至っている。即ち、懸吊ロープ１１は、一端部１１ａ側で装着ベース９に対して電動チェーンブロック１０を吊り下げ、装着ベース返しプーリ１７で下方へ向けられた他端部１１ｂ側の引き下げにより電動チェーンブロック１０を引き上げ可能になっている。他端部１１ｂ側は最上階の乗場２（図１）の作業者によって乗場２側に引き下げられ、電動チェーンブロック１０が装着ベース９に対して引き上げられる。
なお、各揚重機返しプーリ２２ａ，２２ｂ間の懸吊ロープ１１は、掛止用フック１８の下方を通されている。
【００１５】
電動チェーンブロック１０の掛止用フック１８は、掛け止め部１９に掛止される釣り針状の鉤部２４と、鉤部２４の掛け止め部１９からの外れを防止する外れ止め片（図示せず）とを有している。外れ止め片は、鉤部２４の先端部内面に係止され、先端部内面を押し付けるように付勢されている。鉤部２４及び外れ止め片によって、環状の掛止用フック１８が構成されている。
【００１６】
掛け止め部１９は、電動チェーンブロック１０の上昇により、外れ止め片を押しのけるようになっている。外れ止め片を押しのけた掛け止め部１９は、外れ止め片が付勢によって元の状態に戻ることにより、掛止用フック１８の環状内に収められる。
【００１７】
電動チェーンブロック１０は、掛止用フック１８が上部に設けられたチェーンブロック本体２５と、チェーンブロック本体２５から繰り出され巻き戻される揚重ロープ２６と、揚重ロープ２６の繰り出し・巻き戻しの指令をチェーンブロック本体２５へ送信する操作スイッチ２７と、揚重ロープ２６の端部に接続された揚重フック２８とを有している。操作スイッチ２７は、ケーブル２９を介してチェーンブロック本体２５に接続されており、乗場２の作業者により操作される。
【００１８】
図４は、図３の電動チェーンブロック１０の取付作業の状態を示す説明図である。図において、装着ベース９は、棒状体である伸縮可能な取付用竿３０によって取り付けられる。取付用竿３０は、装着ベース９の重量にも耐える強度を有する竿本体３１と、竿本体３１の先端部に設けられた磁石３２とを有している。装着ベース９は、磁石３２に吸着保持されて取付用竿３０によって持ち上げられるようになっている。
【００１９】
なお、揚重機取付装置は、装着ベース９、懸吊ロープ１１、揚重機返しプーリ２２ａ，２２ｂ及び取付用竿３０を備えている。また、揚重装置は、装着ベース９、電動チェーンブロック１０、懸吊ロープ１１及び揚重機返しプーリ２２ａ，２２ｂを備えている。
【００２０】
次に、電動チェーンブロック１０をかご側揚重ビーム４に取り付ける手順について説明する。
ここで、手順の説明のため、図３及び図４において、懸吊ロープ１１の返しリング２１と揚重機返しプーリ２２ｂとの間の部分を第１吊り下げ部１１ｃ、懸吊ロープ１１の揚重機返しプーリ２２ａと装着ベース返しプーリ１７との間の部分を第２吊り下げ部１１ｄ、及び懸吊ロープ１１の装着ベース返しプーリ１７と他端部１１ｂとの間の部分である他端部１１ｂ側を引き下げ部１１ｅとする。
【００２１】
まず、懸吊ロープ１１の一端部１１ａを固定リング２０に接続し、他端部１１ｂを返しリング２１、一対の揚重機返しプーリ２２ａ，２２ｂ及び装着ベース返しプーリ１７の順に通して、懸吊ロープ１１が一端部１１ａから、返しリング２１、一対の揚重機返しプーリ２２ａ，２２ｂ及び装着ベース返しプーリ１７の順に掛けられた状態にしておく。即ち、懸吊ロープ１１の他端部１１ｂ側の引き下げにより、一端部１１ａ側で吊り下げられた電動チェーンブロック１０が引き上げられるように、懸吊ロープ１１を装着ベース９及び揚重機返しプーリ２２ａ，２２ｂにあらかじめセッティングしておく。このとき、第１吊り下げ部１１ｃ、第２吊り下げ部１１ｄ及び引き下げ部１１ｅの長さは、十分長くしておく（準備工程）。
【００２２】
この後、最上階の乗場２において装着ベース９を磁石３２に吸着保持させて、電動チェーンブロック１０及び一対の揚重機返しプーリ２２ａ，２２ｂを乗場２に残したまま、最上階の乗場出入口３から昇降路１内のかご側揚重ビーム４に向けて装着ベース９を取付用竿３０で持ち上げ、第１係止部１５を第１延出部１３に係止させる（第１係止工程）。この状態で、第１吊り下げ部１１ｃを乗場２側に引き寄せて第２係止部１６を係止位置に変位させる（第２係止工程）。これにより、第１係止部１５及び第２係止部１６は第１延出部１３及び第２延出部１４に係止され、装着ベース９はかご側揚重ビーム４に装着される（装着工程）。
【００２３】
この後、取付用竿３０を乗場２の床に置き、引き下げ部１１ｅを手繰りながら引き下げ、第１吊り下げ部１１ｃ及び第２吊り下げ部１１ｄを含む一端部１１ａ側で電動チェーンブロック１０及び揚重機返しプーリ２２ａ，２２ｂを吊り下げ、引き上げる。引き下げ部１１ｅをさらに引き下げることにより、装着ベース９に対して電動チェーンブロック１０をさらに上昇させる（上昇工程）。
【００２４】
この後、電動チェーンブロック１０を上昇させながら、掛け止め部１９に掛止用フック１８を掛止させる。これにより、電動チェーンブロック１０は、装着ベース９に対して掛止される（掛止工程）。
【００２５】
図５は、昇降路１の上部に取り付けられた電動チェーンブロック１０による揚重作業の状態を示す説明図である。図に示すように、最上階の乗場２の作業者（図示せず）により操作スイッチ２７が操作され、電動チェーンブロック１０による揚重作業が行われる。このとき、懸吊ロープ１１の他端部１１ｂは乗場２側に保持されている。装着ベース９は、電動チェーンブロック１０の重さ及び懸吊ロープ１１の引っ張り力によりかご側揚重ビーム４に保持される。
揚重作業終了後、昇降路１の上部に足場が組まれ、足場上の作業者により装着ベース９がかご側揚重ビーム４から取り外される。
【００２６】
なお、おもり側揚重ビーム５に対しても同様にして電動チェーンブロック１０が取り付けられ、電動チェーンブロック１０による揚重作業が行われる。
【００２７】
このように構成された揚重機取付装置は、かご側揚重ビーム４に着脱可能な装着ベース９と、装着ベース９の装着ベース返しプーリ１７に掛けられた懸吊ロープ１１と、懸吊ロープ１１の一端部１１ａ側で装着ベース９に対して吊り下げられ、懸吊ロープ１１の他端部１１ｂ側での引き下げにより上昇可能な電動チェーンブロック１０とを備えているので、かご側揚重ビーム４に装着ベース９を装着し、懸吊ロープ１１により装着ベース９に対して電動チェーンブロック１０を吊り下げることができ、昇降路１の上部から離れた場所からでも昇降路１の上部に電動チェーンブロック１０を容易に取り付けることができる。また、電動チェーンブロック１０を支持するための大形の支持構造物も必要ないので、揚重のためのコストも低減することができる。
【００２８】
また、電動チェーンブロック１０に懸吊ロープ１１が掛けられる揚重機返しプーリ２２ａ，２２ｂが搭載されているので、揚重機返しプーリ２２ａ，２２ｂが動滑車として作用し、電動チェーンブロック１０に懸吊ロープ１１の一端部１１ａを直接接続して電動チェーンブロック１０を吊り下げる場合よりも乗場２側への引き下げ力を小さくすることができる。
【００２９】
また、装着ベース９は、一端部１１ａが接続された固定リング２０を含む第１係止部１５と、懸吊ロープ１１が掛けられた返しリング２１を含み、固定リング２０に対して返しリング２１が接離する方向へ往復変位可能な第２係止部１６をさらに有しているので、懸吊ロープ１１の引っ張り力により固定リング２０と返しリング２１とを互いに近づく向きに変位させることができ、装着ベース９から離れた場所からでも、かご側揚重ビーム４に第１係止部１５及び第２係止部１６を容易に係止させることができる。
【００３０】
また、装着ベース返しプーリ１７及び揚重機返しプーリ２２ａ，２２ｂがプーリであるので、装着ベース返しプーリ１７及び揚重機返しプーリ２２ａ，２２ｂへの懸吊ロープ１１の接触による摩擦抵抗力を小さくすることができる。
【００３１】
また、揚重機取付装置は、装着ベース９を持ち上げてかご側揚重ビーム４に装着ベース９を装着するための取付用竿３０をさらに備えているので、作業者の手の届かないかご側揚重ビーム４の位置へ装着ベース９を確実に送ることができる。
【００３２】
また、取付用竿３０は、装着ベース９を吸着保持する磁石３２を有しているので、取付用３０により装着ベース９を容易に保持して持ち上げることができる。
【００３３】
また、このような構成の揚重装置は、かご側揚重ビーム４に着脱可能な装着ベース９と、装着ベース９の装着ベース返しプーリ１７に掛けられた懸吊ロープ１１と、懸吊ロープ１１の一端部１１ａ側で装着ベース９に対して吊り下げられ、懸吊ロープ１１の他端部１１ｂ側での引き下げにより上昇可能な電動チェーンブロック１０と、電動チェーンブロック１０に搭載され、懸吊ロープ１１が掛けられた揚重機返しプーリ２２ａ，２２ｂとを備えているので、昇降路１の上部のかご側揚重ビーム４に電動チェーンブロック１０を容易に取り付けることができ、エレベータ機材の揚重を容易に行うことができる。また、電動チェーンブロック１０を支持するための大形の支持構造物も必要ないので、揚重のためのコストも低減することができる。
【００３４】
また、上記のようなエレベータの揚重機取付方法は、懸吊ロープ１１の他端部１１ｂ側の引き下げにより一端部１１ａ側で装着ベース９に対して電動チェーンブロック１０が引き上げられるように、電動チェーンブロック１０に搭載された揚重機返しプーリ２２ａ，２２ｂ及び装着ベース９に懸吊ロープ１１をセッティングする準備工程と、取付用竿３０により装着ベース９を持ち上げて装着ベース９をかご側揚重ビーム４に装着する装着工程と、懸吊ロープ１１の他端部１１ｂ側を引き下げて電動チェーンブロック１０を引き上げる上昇工程と、装着ベース９の掛け止め部１９に電動チェーンブロック１０を掛止させる掛止工程とを備えているので、大形の支持構造物を組み立てることなく、昇降路１の上部から離れた乗場２側から昇降路１の上部に設けられたかご側揚重ビーム４に電動チェーンブロック１０を容易に取り付けることができる。また、電動チェーンブロック１０を支持するための大形の支持構造物も必要ないので、揚重のためのコストも低減することができる。
【００３５】
また、取付用竿３０は磁石３２を有しており、装着工程では、磁石３２に装着ベース９を吸着保持させて持ち上げるようにしているので、取付用３０により装着ベース９を容易に保持して持ち上げることができる。
【００３６】
また、装着工程は、取付用竿３０により第１係止部１５をかご側揚重ビーム４に係止させる第１係止工程と、懸吊ロープ１１を乗場２側へ引き寄せて第２係止部１６を係止位置へ変位させ、第２係止部１６をかご側揚重ビーム４に係止させる第２係止工程とを有しているので、昇降路１の上部から離れた乗場２側の作業で、第１係止部１５及び第２係止部１６をかご側揚重ビーム４に確実に係止させることができる。
【００３７】
実施の形態２．
図６は、この発明の実施の形態２によるエレベータの昇降路を示す縦断面図である。図において、昇降路１内の上部には、エレベータの巻上機等が設置される機械室４１が設けられている。機械室４１の天井壁４２には、支持部材である支持掛け金４３が固定されている。電動チェーンブロック１０の支持掛け金４３への取付作業は、機械室４１の床面４４上の作業者により行われる。なお、機械室４１の床面４４には、作業者用の足場板４５が架設されている。
【００３８】
図７は、図６の支持掛け金４３に電動チェーンブロック１０が取り付けられるときの状態を示す縦断面図である。図において、支持掛け金４３には、支持掛け金４３に着脱可能な装着ベース４６が装着されている。電動チェーンブロック１０は、懸吊ロープ１１によって装着ベース４６に吊り下げられている。
【００３９】
装着ベース４６は、支持掛け金４３に掛止される鉤状の装着ベース保持用フック４７と、懸吊ロープ１１が巻き掛けられた装着ベース側ロープ返し部である装着ベース返しプーリ４８と、懸吊ロープ１１の一端部１１ａが接続された接続固定部４９と、電動チェーンブロック１０の掛止用フック１８を掛止可能な掛け止め部５０とを有している。
【００４０】
懸吊ロープ１１は、一端部１１ａから、一対の揚重機返しプーリ２２ａ，２２ｂ、装着ベース返しプーリ４８の順に掛けられ、他端部１１ｂ側に至っている。懸吊ロープ１１は、装着ベース返しプーリ４８よりも一端部１１ａ側で電動チェーンブロック１０を装着ベース４６に対して吊り下げ、装着ベース返しプーリ４８により下方へ向けられた他端部１１ｂ側の引き下げにより電動チェーンブロック１０を引き上げ可能になっている。他端部１１ｂ側は機械室４１内（図６）の作業者によって下方に引き下げられ、電動チェーンブロック１０が装着ベース４６に対して引き上げられる。他の構成は実施の形態１と同様である。
【００４１】
次に、揚重機１０を支持掛け金４３に取り付ける手順について説明する。
図８は、図７の電動チェーンブロック１０の取付作業の状態を示す説明図である。ここで、手順の説明のため、図７及び図８において、懸吊ロープ１１の一端部１１ａと揚重機返しプーリ２２ｂとの間の部分を第１吊り下げ部１１ｃ、懸吊ロープ１１の揚重機返しプーリ２２ａと装着ベース返しプーリ４６との間の部分を第２吊り下げ部１１ｄ、懸吊ロープ１１の装着ベース返しプーリ４６と他端部１１ｂとの間の部分である他端部１１ｂ側を引き下げ部１１ｅとする。
【００４２】
まず、懸吊ロープ１１の一端部１１ａを接続固定部４９に接続し、他端部１１ｂを一対の揚重機返しプーリ２２ａ，２２ｂ、装着ベース返しプーリ４８の順に通して、懸吊ロープ１１が一端部１１ａから、一対の揚重機返しプーリ２２ａ，２２ｂ、装着ベース返しプーリ４８の順に掛けられた状態にしておく。即ち、懸吊ロープ１１の他端部１１ｂ側の引き下げにより、一端部１１ａ側で装着ベース４６に対して吊り下げられた電動チェーンブロック１０が引き上げられるように、懸吊ロープ１１を装着ベース４６及び揚重機返しプーリ２２ａ，２２ｂにあらかじめセッティングしておく。このとき、第１吊り下げ部１１ｃ、第２吊り下げ部１１ｄ及び引き下げ部１１ｅの長さは、十分長くしておく（準備工程）。
【００４３】
この後、機械室４１内で装着ベース４６を磁石３２に吸着保持させて、電動チェーンブロック１０、一対の揚重機返しプーリ２２ａ，２２ｂ及び懸吊ロープ１１の他端部１１ｂを床面４４上に残したまま、天井壁４２の支持掛け金４３に向けて装着ベース４６を取付用竿３０で持ち上げ、装着ベース保持用フック４７を支持掛け金４３に掛止させる。これにより、装着ベース４６は支持掛け金４３に装着される（装着工程）。
この後の上昇工程及び掛止工程は、実施の形態１と同様である。
【００４４】
図９は、図６の昇降路１の上部の機械室４１内に取り付けられた電動チェーンブロック１０による揚重作業の状態を示す説明図である。図に示すように、機械室４１内の作業者（図示せず）により操作スイッチ２７が操作され、電動チェーンブロック１０による揚重作業が行われる。このとき、懸吊ロープ１１の他端部１１ｂ側は、電動チェーンブロック１０に絡まないように、電動チェーンブロック１０を避けて保持される。
揚重作業終了後、昇降路１の上部に足場が組まれ、足場上の作業者により装着ベース４６が支持掛け金４３から取り外される。
【００４５】
このような構成の揚重機取付装置は、装着ベース４６の装着ベース保持用フック４７が支持掛け金４３に掛止されるようになっているので、実施の形態１と同様な効果を奏するとともに、昇降路１の上部に電動チェーンブロック１０をさらに容易に取り付けることができる。
【００４６】
なお、上記の例では、懸吊ロープ１１が掛けられた揚重機返しプーリ２２ａ，２２ｂが電動チェーンブロック１０に搭載されているが、引き上げ時に電動チェーンブロック１０の姿勢を保つことができるのであれば、揚重機返しプーリ２２ａ，２２ｂを電動チェーンブロック１０に搭載せずに、懸吊ロープ１１の一端部１１ａを電動チェーンブロック１０に直接接続して、電動チェーンブロック１０を吊り下げるようにしてもよい。
【００４７】
また、各上記実施の形態では、装着ベース返しプーリ及び揚重機返しプーリ２２ａ，２２ｂはプーリであるが、装着ベース返しプーリ及び揚重機返しプーリ２２ａ，２２ｂの一方を懸吊ロープ１１のスライド可能な貫通孔としてもよい。
【００４８】
また、各上記実施の形態では、取付用竿３０は、磁石３２に装着ベースを吸着保持させて装着ベースを持ち上げるようにしているが、例えば取付用竿３０の先端部に装着ベース持ち上げ用フックを設け、装着ベース持ち上げ用フックに装着ベースを掛けて持ち上げるようにしてもよい。
【００４９】
また、各上記実施の形態では、揚重機取付装置及び揚重装置はエレベータ機材を揚重するために用いられているが、エレベータ機材以外の機材、例えば建築機材等を揚重するために揚重機取付装置及び揚重装置を転用してもよい。
【００５０】
【発明の効果】
以上の説明から明らかなように、この発明に係る揚重機取付装置は、昇降路の上部の支持部材に着脱可能な装着ベースの装着ベース側ロープ返し部に掛けられ、一端部側で揚重機を装着ベースに対して吊り下げ、装着ベース側ロープ返し部により下方へ向けられた他端部側の引き下げにより装着ベースに対して揚重機を引き上げ可能な懸吊ロープを備えているので、懸吊ロープの他端部側を引き下げることにより揚重機を上昇させて、装着ベースに揚重機を掛止させることができる。従って、昇降路の上部に揚重機を容易に取り付けることができる。また、揚重機を支持する大形の支持構造物を必要としないので、揚重のためのコストも低減することができる。
【図面の簡単な説明】
【図１】この発明の実施の形態１によるエレベータの昇降路を示す縦断面図である。
【図２】図１のＩＩ−ＩＩ線に沿った断面図である。
【図３】図１のかご側揚重ビームに揚重機が取り付けられるときの状態を示す縦断面図である。
【図４】図３の電動チェーンブロックの取付作業の状態を示す説明図である。
【図５】昇降路の上部に取り付けられた電動チェーンブロックによる揚重作業の状態を示す説明図である。
【図６】この発明の実施の形態２によるエレベータの昇降路を示す縦断面図である。
【図７】図６の支持掛け金に電動チェーンブロックが取り付けられるときの状態を示す縦断面図である。
【図８】図７の電動チェーンブロックの取付作業の状態を示す説明図である。
【図９】図６の機械室内に取り付けられた電動チェーンブロックによる揚重作業の状態を示す説明図である。
【符号の説明】
１  昇降路、４  かご側揚重ビーム（支持部材）、５  おもり側揚重ビーム（支持部材）、９，４６  装着ベース、１０  電動チェーンブロック（揚重機）、１１  懸吊ロープ、１１ａ  一端部、１１ｂ  他端部、１５  第１掛止部、１６第２掛止部、１７，４８  装着ベース返しプーリ（装着ベース側ロープ返し部）、１８  掛止用フック、１９，５０  掛け止め部、２０  固定リング（接続固定部）、２１  返しリング（係止部側返し部）、２２ａ，２２ｂ  揚重機返しプーリ（揚重機側返し部）、３０  取付用竿（棒状体）、３２  磁石、４３  支持掛け金（支持部材）。
【図１】
2004256253.tif 000003
【図２】
2004256253.tif 000004
【図３】
2004256253.tif 000005
【図４】
2004256253.tif 000006
【図５】
2004256253.tif 000007
【図６】
2004256253.tif 000008
【図７】
2004256253.tif 000009
【図８】
2004256253.tif 000010
【図９】
2004256253.tif 000011